(57)【要約】【課題】複数のバイポーラ電極の積層方向における集電体の変形をセパレータ自体によって抑制できる蓄電装置及び蓄電装置の製造方法を提供する。【解決手段】蓄電装置１０は、セパレータ１４を介して直列に積層された複数のバイポーラ電極１２を備える。複数のバイポーラ電極１２のそれぞれは、第１の面１６ａ及び第１の面１６ａとは反対側の第２の面１６ｂを有する集電体１６と、第１の面１６ａに設けられた正極層１８と、第２の面１６ｂに設けられた負極層２０とを有している。セパレータ１４は、正極層１８と負極層２０との間に位置する第１の部分１４ａと、複数のバイポーラ電極１２の積層方向から見て第１の部分１４ａを取り囲んでおり集電体１６間に位置する第２の部分１４ｂとを有している。第１の部分１４ａは第１の厚みＤ１を有する。第２の部分１４ｂは、第１の厚みＤ１よりも大きい第２の厚みＤ２を有する。【選択図】図１
2018018666.tif 000002
【特許請求の範囲】
【請求項１】
セパレータを介して直列に積層された複数のバイポーラ電極を備える蓄電装置であって、
前記複数のバイポーラ電極のそれぞれは、第１の面及び前記第１の面とは反対側の第２の面を有する集電体と、前記第１の面に設けられた正極層と、前記第２の面に設けられた負極層とを有しており、
前記セパレータは、前記正極層と前記負極層との間に位置する第１の部分と、前記複数のバイポーラ電極の積層方向から見て前記第１の部分を取り囲んでおり前記集電体間に位置する第２の部分とを有しており、
前記第１の部分は第１の厚みを有し、
前記第２の部分は、前記第１の厚みよりも大きい第２の厚みを有する、蓄電装置。
【請求項２】
前記第２の部分が、折り曲げられた前記セパレータの端部から構成される、請求項１に記載の蓄電装置。
【請求項３】
前記第２の部分が、前記セパレータの外周に向かうに連れて厚くなるテーパ形状を有する、請求項１又は２に記載の蓄電装置。
【請求項４】
前記第２の部分が、前記第１の部分の空隙率よりも大きい空隙率を有する、請求項１〜３のいずれか一項に記載の蓄電装置。
【請求項５】
第１の厚みを有する第１の部分と、前記第１の厚みよりも大きい第２の厚みを有する第２の部分とを有するセパレータと、複数のバイポーラ電極とを準備する準備工程と、
前記セパレータを介して前記複数のバイポーラ電極を直列に積層する積層工程と、
を含み、
前記複数のバイポーラ電極のそれぞれが、第１の面及び前記第１の面とは反対側の第２の面を有する集電体と、前記第１の面に設けられた正極層と、前記第２の面に設けられた負極層とを有しており、
前記積層工程では、前記第１の部分が前記正極層と前記負極層との間に位置し、前記第２の部分が、前記複数のバイポーラ電極の積層方向から見て前記第１の部分を取り囲むように前記集電体間に位置する、蓄電装置の製造方法。
【請求項６】
セパレータを介して複数のバイポーラ電極を直列に積層する積層工程と、
複数のバイポーラ電極によって前記セパレータを圧縮する圧縮工程と、
を含み、
前記複数のバイポーラ電極のそれぞれが、第１の面及び前記第１の面とは反対側の第２の面を有する集電体と、前記第１の面に設けられた正極層と、前記第２の面に設けられた負極層とを有しており、
前記圧縮工程において圧縮された前記セパレータが、前記正極層と前記負極層との間に位置する第１の部分と、前記複数のバイポーラ電極の積層方向から見て前記第１の部分を取り囲んでおり前記集電体間に位置する第２の部分とを有しており、前記第１の部分が第１の厚みを有し、前記第１の厚みよりも大きい第２の厚みを有する、蓄電装置の製造方法。
【発明の詳細な説明】
【技術分野】
【０００１】
本発明は、蓄電装置及び蓄電装置の製造方法に関する。
【背景技術】
【０００２】
集電体の一方の面に正極が形成され、他方の面に負極が形成されたバイポーラ電極を備えるバイポーラ電池が知られている（特許文献１参照）。このバイポーラ電池では、電解質層を挟んで複数のバイポーラ電極が直列に積層されている。電解質層はセパレータに保持される。セパレータにおける電解質を保持させた部分の外周部には、シール用の樹脂部材が配置されている。
【先行技術文献】
【特許文献】
【０００３】
【特許文献１】特開２０１１−１５１０１６号公報
【発明の概要】
【発明が解決しようとする課題】
【０００４】
上記バイポーラ電池では、セパレータとは異なるシール用の樹脂部材がセパレータの外周部に配置されている。そのため、セパレータに加えて新たな部材が必要となる。
【０００５】
本発明の一側面は、複数のバイポーラ電極の積層方向における集電体の変形をセパレータ自体によって抑制できる蓄電装置及び蓄電装置の製造方法を提供することを目的とする。
【課題を解決するための手段】
【０００６】
本発明の一側面に係る蓄電装置は、セパレータを介して直列に積層された複数のバイポーラ電極を備える蓄電装置であって、前記複数のバイポーラ電極のそれぞれは、第１の面及び前記第１の面とは反対側の第２の面を有する集電体と、前記第１の面に設けられた正極層と、前記第２の面に設けられた負極層とを有しており、前記セパレータは、前記正極層と前記負極層との間に位置する第１の部分と、前記複数のバイポーラ電極の積層方向から見て前記第１の部分を取り囲んでおり前記集電体間に位置する第２の部分とを有しており、前記第１の部分は第１の厚みを有し、前記第２の部分は、前記第１の厚みよりも大きい第２の厚みを有する。
【０００７】
この蓄電装置では、隣り合う集電体間にセパレータの第２の部分が配置されており、第２の部分が第１の部分よりも厚いので、複数のバイポーラ電極の積層方向における集電体の変形を第２の部分によって抑制できる。
【０００８】
前記第２の部分が、折り曲げられた前記セパレータの端部から構成されてもよい。
【０００９】
この場合、一定の厚みを有するセパレータの端部を折り曲げて第２の部分を形成することができる。
【００１０】
前記第２の部分が、前記セパレータの外周に向かうに連れて厚くなるテーパ形状を有してもよい。
【００１１】
前記第２の部分が、前記第１の部分の空隙率よりも大きい空隙率を有してもよい。
【００１２】
この場合、一定の空隙率を有するセパレータの中央部を圧縮して第１の部分を形成することにより、第２の部分の空隙率を第１の部分の空隙率よりも大きくすることができる。
【００１３】
本発明の一側面に係る蓄電装置の製造方法は、第１の厚みを有する第１の部分と、前記第１の厚みよりも大きい第２の厚みを有する第２の部分とを有するセパレータと、複数のバイポーラ電極とを準備する準備工程と、前記セパレータを介して前記複数のバイポーラ電極を直列に積層する積層工程と、を含み、前記複数のバイポーラ電極のそれぞれが、第１の面及び前記第１の面とは反対側の第２の面を有する集電体と、前記第１の面に設けられた正極層と、前記第２の面に設けられた負極層とを有しており、前記積層工程では、前記第１の部分が前記正極層と前記負極層との間に位置し、前記第２の部分が、前記複数のバイポーラ電極の積層方向から見て前記第１の部分を取り囲むように前記集電体間に位置する。
【００１４】
この蓄電装置の製造方法では、隣り合う集電体間にセパレータの第２の部分が配置されており、第２の部分が第１の部分よりも厚いので、複数のバイポーラ電極の積層方向における集電体の変形を第２の部分によって抑制できる。
【００１５】
本発明の一側面に係る蓄電装置の製造方法は、セパレータを介して複数のバイポーラ電極を直列に積層する積層工程と、複数のバイポーラ電極によって前記セパレータを圧縮する圧縮工程と、を含み、前記複数のバイポーラ電極のそれぞれが、第１の面及び前記第１の面とは反対側の第２の面を有する集電体と、前記第１の面に設けられた正極層と、前記第２の面に設けられた負極層とを有しており、前記圧縮工程において圧縮された前記セパレータが、前記正極層と前記負極層との間に位置する第１の部分と、前記複数のバイポーラ電極の積層方向から見て前記第１の部分を取り囲んでおり前記集電体間に位置する第２の部分とを有しており、前記第１の部分が第１の厚みを有し、前記第１の厚みよりも大きい第２の厚みを有する。
この蓄電装置の製造方法では、隣り合う集電体間にセパレータの第２の部分が配置されており、第２の部分が第１の部分よりも厚いので、複数のバイポーラ電極の積層方向における集電体の変形を第２の部分によって抑制できる。
【発明の効果】
【００１６】
本発明の一側面によれば、複数のバイポーラ電極の積層方向における集電体の変形をセパレータ自体によって抑制できる蓄電装置及び蓄電装置の製造方法が提供され得る。
【図面の簡単な説明】
【００１７】
【図１】第１実施形態に係る蓄電装置を模式的に示す断面図である。
【図２】第１実施形態に係る蓄電装置の一部を模式的に示す分解斜視図である。
【図３】第２実施形態に係る蓄電装置を模式的に示す断面図である。
【図４】第３実施形態に係る蓄電装置を模式的に示す断面図である。
【図５】第４実施形態に係る蓄電装置を模式的に示す断面図である。
【図６】第１実施形態に係る蓄電装置の製造方法の一工程を示す断面図である。
【図７】第１実施形態に係る蓄電装置の製造方法の一工程を示す断面図である。
【図８】第４実施形態に係る蓄電装置の製造方法の一工程を示す断面図である。
【図９】第４実施形態に係る蓄電装置の製造方法の一工程を示す断面図である。
【図１０】第４実施形態に係る蓄電装置の製造方法の一工程を示す断面図である。
【発明を実施するための形態】
【００１８】
以下、添付図面を参照しながら本発明の実施形態が詳細に説明される。図面の説明において、同一又は同等の要素には同一符号が用いられ、重複する説明は省略される。
【００１９】
（第１実施形態）
図１は、第１実施形態に係る蓄電装置を模式的に示す断面図である。図２は、第１実施形態に係る蓄電装置の一部を模式的に示す分解斜視図である。図１及び図２にはＸＹＺ直交座標系が示される。図１に示される蓄電装置１０は、例えばニッケル水素二次電池、リチウムイオン二次電池等の二次電池であってもよいし、電気二重層キャパシタであってもよい。蓄電装置１０は、例えばフォークリフト、ハイブリッド自動車、電気自動車等の車両に搭載され得る。
【００２０】
蓄電装置１０は、複数のバイポーラ電極１２を備える。複数のバイポーラ電極１２は、セパレータ１４を介して直列に積層される。複数のバイポーラ電極１２のそれぞれは、第１の面１６ａ及び第１の面１６ａとは反対側の第２の面１６ｂを有する集電体１６と、第１の面１６ａに設けられた正極層１８と、第２の面１６ｂに設けられた負極層２０とを有している。正極層１８及び負極層２０は、複数のバイポーラ電極１２の積層方向（以下、Ｚ軸方向ともいう）に交差する平面（例えばＸＹ平面）に沿って延在している。
【００２１】
セパレータ１４はシート状であってもよいし、袋状であってもよい。セパレータ１４は例えば多孔膜又は不織布である。セパレータ１４は電解液を透過させ得る。セパレータ１４の材料としては、例えばポリエチレン、ポリプロピレン等のポリオレフィン、ポリイミド、アラミド繊維などポリアミド系等が挙げられる。また、フッ化ビニリデン樹脂化合物で補強されたセパレータ１４が使用されてもよい。電解液としては、例えば水酸化カリウム水溶液等のアルカリ溶液が使用され得る。
【００２２】
集電体１６は、例えばニッケル箔等の金属箔であってもよいし、例えば導電性樹脂フィルム等の導電性樹脂部材であってもよい。集電体１６の厚みは、例えば０．１〜１０００μｍである。正極層１８は、正極活物質を含む。蓄電装置１０がニッケル水素二次電池の場合、正極活物質は、例えば水酸化ニッケル（Ｎｉ（ＯＨ）２）の粒子である。蓄電装置１０がリチウムイオン二次電池の場合、正極活物質は、例えば複合酸化物、金属リチウム、硫黄等である。負極層２０は、負極活物質を含む。蓄電装置１０がニッケル水素二次電池の場合、負極活物質は、例えば水素吸蔵合金の粒子である。蓄電装置１０がリチウムイオン二次電池の場合、負極活物質は、例えば黒鉛、高配向性グラファイト、メソカーボンマイクロビーズ、ハードカーボン、ソフトカーボン等のカーボン、リチウム、ナトリウム等のアルカリ金属、金属化合物、ＳｉＯｘ（０．５≦ｘ≦１．５）等の金属酸化物、ホウ素添加炭素等である。
【００２３】
Ｚ軸方向において、複数のバイポーラ電極１２及び複数のセパレータ１４は、電極１１２及び電極２１２によって挟まれてもよい。電極１１２及び電極２１２は、Ｚ軸方向において最も外側に位置する電極である。電極１１２は、集電体１１６と、集電体１１６のセパレータ１４側の面に設けられた正極層１８とを備える。電極２１２は、集電体１１６と、集電体１１６のセパレータ１４側の面に設けられた負極層２０とを備える。集電体１１６は、Ｚ軸方向において集電体１６よりも厚いこと以外は集電体１６と同じ構成を備える。
【００２４】
蓄電装置１０は、複数のバイポーラ電極１２を支持する絶縁ケース３０を備えてもよい。例えば、各バイポーラ電極１２の集電体１６の端部が絶縁ケース３０内に埋設される。絶縁ケース３０は、電極１１２及び電極２１２を支持してもよい。例えば、電極１１２及び電極２１２の集電体１１６の端部が絶縁ケース３０内に埋設される。絶縁ケース３０は例えば樹脂ケースである。絶縁ケース３０は、複数のバイポーラ電極１２及び複数のセパレータ１４を収容し得る筒状部材であってもよい。絶縁ケース３０内には電解液が充填される。
【００２５】
蓄電装置１０は、正極プレート４０及び負極プレート５０を備えてもよい。正極プレート４０及び負極プレート５０は、Ｚ軸方向において、複数のバイポーラ電極１２及び複数のセパレータ１４を挟持する。正極プレート４０及び負極プレート５０は、電極１１２、電極２１２及び絶縁ケース３０を挟持してもよい。電極１１２は正極プレート４０とセパレータ１４との間に配置される。電極２１２は負極プレート５０とセパレータ１４との間に配置される。正極プレート４０には正極端子４２が接続される。負極プレート５０には負極端子５２が接続される。正極端子４２及び負極端子５２により蓄電装置１０の充放電を行うことができる。
【００２６】
正極プレート４０及び負極プレート５０には、Ｚ軸方向に延びるボルトＢを貫通するための貫通孔が設けられる。貫通孔は、Ｚ軸方向から見て絶縁ケース３０の外側に配置される。ボルトＢは正極プレート４０から負極プレート５０に向かって挿通され得る。ボルトＢの先端にはナットＮが螺合される。これにより、正極プレート４０及び負極プレート５０は、複数のバイポーラ電極１２、複数のセパレータ１４、電極１１２、電極２１２及び絶縁ケース３０を拘束できる。その結果、絶縁ケース３０内は密封され得る。
【００２７】
セパレータ１４は、正極層１８と負極層２０との間に位置する第１の部分１４ａと、複数のバイポーラ電極１２の積層方向から見て第１の部分１４ａを取り囲んでおり集電体１６間に位置する第２の部分１４ｂとを有している。第１の部分１４ａと第２の部分１４ｂは同じ絶縁材料から構成され得る。
【００２８】
セパレータ１４の第１の部分１４ａは、隣り合う第１及び第２のバイポーラ電極１２のうちの第１のバイポーラ電極１２の正極層１８と第２のバイポーラ電極１２の負極層２０との間に配置される。第１の部分１４ａは例えばセパレータ１４の中央部分である。第１の部分１４ａは、Ｚ軸方向から見て例えば矩形形状の外形を有する。
【００２９】
セパレータ１４の第２の部分１４ｂは、隣り合う第１及び第２のバイポーラ電極１２のうちの第１のバイポーラ電極１２の集電体１６と第２のバイポーラ電極１２の集電体１６との間に配置される。集電体１６とセパレータ１４の第２の部分１４ｂとの間には正極層１８及び負極層２０が設けられていない。すなわち、集電体１６は、Ｚ軸方向から見て正極層１８及び負極層２０から外側に突出する外周部分を有する。隣り合う集電体１６の外周部分間に第２の部分１４ｂは配置される。第２の部分１４ｂは集電体１６及び絶縁ケース３０に当接してもよい。セパレータ１４の第２の部分１４ｂは例えばセパレータの外周部分である。第２の部分１４ｂは、Ｚ軸方向から見て環状であり、例えば矩形形状の外形を有する。Ｚ軸方向から見て正極層１８及び負極層２０は第２の部分１４ｂによって囲まれる。
【００３０】
セパレータ１４の第１の部分１４ａは第１の厚みＤ１を有する。第１の厚みＤ１は、Ｚ軸方向における第１の部分１４ａの長さである。セパレータ１４の第２の部分１４ｂは、第１の厚みＤ１よりも大きい第２の厚みＤ２を有する。第２の厚みＤ２は、Ｚ軸方向における第２の部分１４ｂの長さである。第２の厚みＤ２は、隣り合う集電体１６間の距離と実質的に同じであってもよい。隣り合う集電体１６間の距離は、例えば０．０２〜０．５ｍｍである。
【００３１】
蓄電装置１０では、隣り合う集電体１６間にセパレータ１４の第２の部分１４ｂが配置されており、第２の部分１４ｂが第１の部分１４ａよりも厚いので、Ｚ軸方向における集電体１６の変形を第２の部分１４ｂによって抑制できる。例えば絶縁ケース３０内の圧力変動又は外力によって集電体１６に力が掛かっても、集電体１６の変形量を小さくできる。よって、集電体１６の破れ、応力による絶縁ケース３０からの集電体１６の剥離が抑制される。さらに、隣り合う集電体１６同士が接触して短絡することを抑制できる。
【００３２】
また、第２の部分１４ｂが第１の部分１４ａよりも厚いと、バイポーラ電極１２とセパレータ１４とを積層する際に、セパレータ１４の第２の部分１４ｂによって正極層１８又は負極層２０の位置決めを行うことができる。さらに、バイポーラ電極１２とセパレータ１４とを積層する際に、集電体１６と第２の部分１４ｂとの間の隙間が実質的に無くなるので、セパレータ１４の外周部分が重力によって曲がることを抑制できる。その結果、バイポーラ電極１２及びセパレータ１４の枚数が多くなっても積層が容易になる。
【００３３】
（第２実施形態）
図３は、第２実施形態に係る蓄電装置を模式的に示す断面図である。図３に示される蓄電装置１１０は、セパレータ１４に代えてセパレータ１１４を備えること以外は図１の蓄電装置１０と同じ構成を備える。
【００３４】
セパレータ１１４は、第２の部分１４ｂに代えて第２の部分１１４ｂを備えること以外はセパレータ１４と同じ構成を備える。セパレータ１１４の第２の部分１１４ｂは、複数のバイポーラ電極１２の積層方向から見て第１の部分１４ａを取り囲んでおり集電体１６間に位置する。セパレータ１１４の第２の部分１１４ｂは、第１の厚みＤ１よりも大きい第２の厚みＤ１２を有する。第２の部分１１４ｂは、折り曲げられたセパレータ１１４の端部から構成される。折り曲げられたセパレータ１１４の端部は、セパレータ１１４に熱溶着されてもよい。
【００３５】
本実施形態では、第１実施形態の作用効果と同様の作用効果が得られる。さらに、一定の厚みを有するセパレータ１１４の端部を折り曲げて第２の部分１１４ｂを形成することができる。そのため、厚みの異なる複数の部分を有するセパレータを予め製造する必要がないので、セパレータ１１４を容易に製造できる。
【００３６】
（第３実施形態）
図４は、第３実施形態に係る蓄電装置を模式的に示す断面図である。図４に示される蓄電装置２１０は、セパレータ１４に代えてセパレータ２１４を備えること以外は図１の蓄電装置１０と同じ構成を備える。
【００３７】
セパレータ２１４は、第２の部分１４ｂに代えて第２の部分２１４ｂを備えること以外はセパレータ１４と同じ構成を備える。セパレータ２１４の第２の部分２１４ｂは、複数のバイポーラ電極１２の積層方向から見て第１の部分１４ａを取り囲んでおり集電体１６間に位置する。第２の部分２１４ｂは、第１の厚みＤ１よりも大きい第２の厚みＤ２２を有する。第２の部分２１４ｂは、セパレータ２１４の外周に向かうに連れて厚くなるテーパ形状を有する。
【００３８】
本実施形態では、第１実施形態の作用効果と同様の作用効果が得られる。さらに、テーパ形状により、セパレータ２１４を積層時の位置決めに用いることができる。また、集電体１６の変形が起きた場合、テーパ形状によってできる第２の部分２１４ｂと集電体１６との間の空間に集電体１６の逃げ場を設けることができるので、短絡が起き難い状況となる。
【００３９】
（第４実施形態）
図５は、第４実施形態に係る蓄電装置を模式的に示す断面図である。図５に示される蓄電装置３１０は、セパレータ１４に代えてセパレータ３１４を備えること以外は図１の蓄電装置１０と同じ構成を備える。
【００４０】
セパレータ３１４は、正極層１８と負極層２０との間に位置する第１の部分３１４ａと、複数のバイポーラ電極１２の積層方向から見て第１の部分３１４ａを取り囲んでおり集電体１６間に位置する第２の部分３１４ｂとを有している。第２の部分３１４ｂは、第１の部分３１４ａの空隙率よりも大きい空隙率を有する。第１の部分３１４ａは第１の厚みＤ３１を有する。第２の部分３１４ｂは、第１の厚みＤ３１よりも大きい第２の厚みＤ３２を有する。第２の部分３１４ｂは、セパレータ３１４の外周に向かうに連れて厚くなるテーパ形状を有する部分を備えてもよい。
【００４１】
本実施形態では、第１実施形態の作用効果と同様の作用効果が得られる。さらに、一定の空隙率を有するセパレータの中央部を圧縮して第１の部分３１４ａを形成することにより、第２の部分３１４ｂの空隙率を第１の部分３１４ａの空隙率よりも大きくすることができる。そのため、空隙率の異なる複数の部分を有するセパレータを予め製造する必要がないので、セパレータ３１４を容易に製造できる。
【００４２】
以下、図６及び図７を用いて図１の蓄電装置１０の製造方法の一例について説明する。図６及び図７は、第１実施形態に係る蓄電装置の製造方法の一工程を示す断面図である。以下の方法を用いて図１の蓄電装置１０を製造することができる。
【００４３】
（準備工程）
まず、図６に示されるように、複数のバイポーラ電極１２と複数のセパレータ１４とを準備する。複数のセパレータ１４のそれぞれは、第１の厚みＤ１を有する第１の部分１４ａと、第１の厚みＤ１よりも大きい第２の厚みＤ２を有する第２の部分１４ｂとを有する。複数のバイポーラ電極１２のそれぞれは、集電体１６と、正極層１８と、負極層２０とを有している。
【００４４】
（積層工程）
次に、図６に示されるように、セパレータ１４を介して複数のバイポーラ電極１２を直列に積層する。積層工程では、第１の部分１４ａが正極層１８と負極層２０との間に位置し、第２の部分１４ｂが、複数のバイポーラ電極１２の積層方向から見て第１の部分１４ａを取り囲むように集電体１６間に位置する。
【００４５】
（射出成形工程）
次に、図７に示されるように、例えば金型Ｍを用いた射出成形により絶縁ケース３０を形成する。
【００４６】
その後、図１に示されるように、正極プレート４０及び負極プレート５０により、複数のバイポーラ電極１２、複数のセパレータ１４、電極１１２、電極２１２及び絶縁ケース３０を挟持する。さらに、ボルトＢ及びナットＮを用いて正極プレート４０及び負極プレート５０に拘束力を付与する。
【００４７】
上述した図１の蓄電装置１０の製造方法と同様の方法により、図３の蓄電装置１１０及び図４の蓄電装置２１０も製造可能である。
【００４８】
続いて、図８〜図１０を用いて図５の蓄電装置３１０の製造方法の一例について説明する。図８〜図１０は、第４実施形態に係る蓄電装置の製造方法の一工程を示す断面図である。以下の方法を用いて図５の蓄電装置３１０を製造することができる。
【００４９】
（積層工程）
まず、図８に示されるように、セパレータ３１４ｐを介して複数のバイポーラ電極１２を直列に積層する。複数のバイポーラ電極１２のそれぞれは、集電体１６と、正極層１８と、負極層２０とを有している。セパレータ３１４ｐは、例えば一定の厚みを有する。
【００５０】
（圧縮工程）
次に、図９に示されるように、複数のバイポーラ電極１２によってセパレータ３１４ｐを圧縮する。圧縮工程において圧縮されたセパレータ３１４は、正極層１８と負極層２０との間に位置する第１の部分３１４ａと、複数のバイポーラ電極１２の積層方向から見て第１の部分３１４ａを取り囲んでおり集電体１６間に位置する第２の部分３１４ｂとを有している。第１の部分３１４ａが第１の厚みＤ３１を有し、第２の部分３１４ｂが第１の厚みＤ３１よりも大きい第２の厚みＤ３２を有する。
【００５１】
（射出成形工程）
次に、図１０に示されるように、例えば金型Ｍを用いた射出成形により絶縁ケース３０を形成する。
【００５２】
その後、図５に示されるように、正極プレート４０及び負極プレート５０により、複数のバイポーラ電極１２、複数のセパレータ３１４、電極１１２、電極２１２及び絶縁ケース３０を挟持する。さらに、ボルトＢ及びナットＮを用いて正極プレート４０及び負極プレート５０に拘束力を付与する。
【００５３】
以上、本発明の好適な実施形態について詳細に説明されたが、本発明は上記実施形態に限定されない。
【００５４】
例えば、上記第１〜第４実施形態の各構成要素は互いに任意に組み合わされ得る。第３実施形態において、セパレータ２１４の第２の部分２１４ｂが、折り曲げられたセパレータの端部から構成されてもよい。第４実施形態において、セパレータ３１４の第２の部分３１４ｂが、折り曲げられたセパレータの端部から構成されてもよいし、セパレータ３１４の外周に向かうに連れて厚くなるテーパ形状を有してもよい。
【符号の説明】
【００５５】
１０，１１０，２１０，３１０…蓄電装置、１２…バイポーラ電極、１４，１１４，２１４，３１４…セパレータ、１４ａ，３１４ａ…第１の部分、１４ｂ，１１４ｂ，２１４ｂ，３１４ｂ…第２の部分、１６…集電体、１６ａ…第１の面、１６ｂ…第２の面、１８…正極層、２０…負極層。
【図１】
2018018666.tif 000003
【図２】
2018018666.tif 000004
【図３】
2018018666.tif 000005
【図４】
2018018666.tif 000006
【図５】
2018018666.tif 000007
【図６】
2018018666.tif 000008
【図７】
2018018666.tif 000009
【図８】
2018018666.tif 000010
【図９】
2018018666.tif 000011
【図１０】
2018018666.tif 000012